(57)【要約】【課題】共通電極の極性反転駆動を行いながら、補助容量線を駆動するドライバ回路に大きな負荷がかからず、消費電力を小さく抑えることができる液晶表示装置を提供する。【解決手段】本液晶表示装置における補助容量線駆動回路５００に含まれるスイッチ回路５０２ｎは、対応する走査信号線が選択されその後非選択状態となる時点の直前からその後共通電位が変化した直後の時点までのわずかの期間だけ補助容量線ＣｓＬ（ｎ）を電位供給回路５０１ｎに接続し、それ以外の期間はカップリング容量Ｃｃｐを介して共通電極Ｅｃｏｍに接続する。このことから補助容量線を交流駆動するほとんどの期間を大きな負荷で駆動可能な共通電極駆動回路によって行うことができるので、補助容量線を駆動するドライバ回路の使用頻度が小さくなり、装置全体としての消費電力を小さく抑えることができる。【選択図】図２
2009069626.tif 000002
【特許請求の範囲】
【請求項１】
アクティブマトリクス型の液晶表示装置であって、
表示すべき画像を表す信号を伝達するための複数の映像信号線、前記複数の映像信号線と交差する複数の走査信号線、前記複数の走査信号線に沿って対応するよう配される複数の補助容量線、前記複数の画素形成部に共通的な電位を与える共通電極、および前記複数の映像信号線と前記複数の走査信号線との交差点にそれぞれ対応してマトリクス状に配置された複数の画素形成部を含み、前記複数の画素形成部のそれぞれは、前記複数の映像信号線のうち対応する映像信号線に繋がる電極であって、対応する補助容量線との間に所定の補助容量が形成され、前記共通電極との間に液晶が介在する画素電極を含む表示部と、
前記複数の映像信号線を駆動する映像信号線駆動回路と、
前記複数の走査信号線を駆動する走査信号線駆動回路と、
前記複数の補助容量線を駆動する補助容量線駆動回路と、
前記走査信号線駆動回路により前記複数の走査信号線のうち１つが選択的に駆動される毎に、または１つ以上が駆動される間を空けて、前記共通電極を基準とする前記画素電極の極性が反転されるように、所定の第１の電位および当該第１の電位よりも大きい第２の電位を交互に前記共通電極に印加することにより、前記共通電極を駆動する共通電極駆動回路とを備え、
前記共通電極駆動回路は、前記走査信号線駆動回路によって対応する走査信号線が選択される時点近傍の第１の期間を除く第２の期間中、前記共通電極と同一の電位変化により前記複数の補助容量線を駆動し、
前記補助容量線駆動回路は、前記対応する走査信号線が選択される時点直後の所定の時点において、当該時点または当該時点直後での前記共通電極の電位変化と同一方向に変化するよう所定の第３の電位および当該第３の電位よりも大きい第４の電位のうちいずれかを印加するように、前記第１の期間中、前記走査信号線駆動回路によって選択される走査信号線に対応する補助容量線を駆動することを特徴とする、液晶表示装置。
【請求項２】
前記第１の期間は、対応する走査信号線が前記走査信号線駆動回路によって選択され選択状態から非選択状態に遷移した第１の時点より前であってかつ前記第１の時点直前において前記共通電極の電位が変化する第２の時点より後の時点を始点とし、前記第１の時点より後であってかつ次に前記共通電極の電位が変化する第３の時点より前の時点を終点とする期間であることを特徴とする、請求項１に記載の液晶表示装置。
【請求項３】
前記補助容量線駆動回路は、
前記第３または第４の電位のいずれかを出力する電位供給回路と、
前記第１の期間中、前記走査信号線駆動回路によって選択される走査信号線に対応する補助容量線に対して前記電位供給回路を接続し、前記第２の期間中、前記対応する補助容量線に対して前記電位供給回路を切り離すスイッチ回路と
を含むことを特徴とする、請求項１に記載の液晶表示装置。
【請求項４】
前記スイッチ回路は、前記第１の期間中、前記走査信号線駆動回路によって選択される走査信号線に対応する補助容量線に対し、前記電位供給回路を接続するとともに前記共通電極駆動回路を切り離し、前記第２の期間中、前記対応する補助容量線に対し、前記電位供給回路を切り離すとともに所定のカップリング容量を介して前記共通電極駆動回路を接続することを特徴とする、請求項３に記載の液晶表示装置。
【請求項５】
前記共通電極駆動回路は、所定のカップリング容量を介して前記複数の補助容量線にそれぞれ接続されることを特徴とする、請求項３に記載の液晶表示装置。
【請求項６】
表示すべき画像を表す信号を伝達するための複数の映像信号線、前記複数の映像信号線と交差する複数の走査信号線、前記複数の走査信号線に沿って対応するよう配される複数の補助容量線、前記複数の画素形成部に共通的な電位を与える共通電極、および前記複数の映像信号線と前記複数の走査信号線との交差点にそれぞれ対応してマトリクス状に配置された複数の画素形成部を含み、前記複数の画素形成部のそれぞれは、前記複数の映像信号線のうち対応する映像信号線に繋がる電極であって、対応する補助容量線との間に所定の補助容量が形成され、前記共通電極との間に液晶が介在する画素電極を含む表示部を備えるアクティブマトリクス型の液晶表示装置の駆動方法であって、
前記複数の映像信号線を駆動する映像信号線駆動ステップと、
前記複数の走査信号線を駆動する走査信号線駆動ステップと、
前記複数の補助容量線を駆動する補助容量線駆動ステップと、
前記走査信号線駆動ステップにおいて前記複数の走査信号線のうち１つが選択的に駆動される毎に、または１つ以上が駆動される間を空けて、前記共通電極を基準とする前記画素電極の極性が反転されるように、所定の第１の電位および当該第１の電位よりも大きい第２の電位を交互に前記共通電極に印加することにより、前記共通電極を駆動する共通電極駆動ステップとを備え、
前記共通電極駆動ステップでは、対応する走査信号線が前記走査信号線駆動ステップによって選択される時点の直前から直後までの第１の期間を除く第２の期間中、前記共通電極と同一の電位変化により前記複数の補助容量線を駆動し、
前記補助容量線駆動ステップでは、前記選択される時点直後の所定の時点において、当該時点または当該時点直後での前記共通電極の電位変化と同一方向に変化するよう所定の第３の電位および当該第３の電位よりも大きい第４の電位のうちいずれかを印加するように、前記第１の期間中、前記走査信号線駆動ステップによって選択される走査信号線に対応する補助容量線を駆動することを特徴とする、液晶表示装置の駆動方法。
【発明の詳細な説明】
【技術分野】
【０００１】
本発明は、薄膜トランジスタ等のスイッチング素子を用いたアクティブマトリクス型液晶表示装置およびその駆動方法に関し、より詳しくは補助容量線への印加電圧を変化させることにより補助容量線を駆動する液晶表示装置およびその駆動方法に関する。
【背景技術】
【０００２】
一般的な従来のアクティブマトリクス型の液晶表示装置の表示部は、複数（Ｎ本）の走査信号線ＧＬ（１）〜ＧＬ（Ｎ）と、当該複数の走査信号線に交差する複数（Ｍ本）の映像信号線ＳＬ（１）〜ＳＬ（Ｍ）と、当該複数の走査信号線と当該複数の映像信号線との交差点にそれぞれ対応してマトリクス状の配置された複数（Ｎ×Ｍ個）の画素形成部Ｐ（１，１）〜Ｐ（Ｎ，Ｍ）とを備えており、各画素形成部は、後述する図２にも示されるように、画素電極とそれに対向する電極（「共通電極」とも呼ばれる）とによって形成される液晶容量（「画素容量」ともいう）Ｃｌｃを含んでいる。各画素電極には、それを挟むように２本の映像信号線ＳＬ（ｍ），ＳＬ（ｍ＋１）が配設されており、映像信号線ＳＬ（ｍ）がＴＦＴ１０を介して当該画素電極に接続されている。
【０００３】
また、この液晶表示装置では、後述する図１に示されるように、複数の走査信号線ＧＬ（ｎ）と平行に同数（Ｎ本）の補助容量線ＣｓＬ（ｎ）が形成されており、各画素形成部Ｐ（ｎ，ｍ）では、画素電極と補助容量線ＣｓＬ（ｎ）との間に補助容量Ｃｃｓが形成されている。
【０００４】
上記のようなアクティブマトリクス型の液晶表示装置では、各画素形成部Ｐ（ｎ，ｍ）において、画素電極に接続されるＴＦＴ１０がオン状態（導通状態）のとき、映像信号線ＳＬ（ｍ）からＴＦＴ１０を介して電圧が印加され、そのＴＦＴ１０がオフ状態（遮断状態）になると、その印加電圧が液晶容量Ｃｌｃ（および補助容量Ｃｃｓ）に保持され、その保持電圧に応じて画素が表示される（ｎ＝１，２，…，Ｎ；  ｍ＝１，２，…，Ｍ）。
【０００５】
ここで、この従来の液晶表示装置では、ＴＦＴ１０がオフ状態となった後、補助容量線ＣｓＬ（ｎ）への印加電圧を変化させることにより、（一定の共通電位Ｖｃｏｍを印加されている）共通電極を基準とした画素電極の電位を変化させる。このような電位変化について図６を参照して詳しく説明する。
【０００６】
図６は、従来の液晶表示装置における各種信号の波形図である。なお図６に示される映像信号線ＳＬ（ｍ）に印加される電圧信号である映像信号Ｓ（ｍ）は、説明の便宜のため、白表示（最高輝度）に対応する電圧値となっている。
【０００７】
この従来の液晶表示装置では、補助容量線ＣｓＬ（ｎ）を駆動することにより、画素電極の電位を変化させる。すなわち、画素電極の電位は、共通電極Ｅｃｏｍを基準とするとき、補助容量線ＣｓＬ（ｎ）の電位変化に対して液晶容量値Ｃｌｃと補助容量値Ｃｃｓとの和に対する補助容量の割合に応じて変化する。
【０００８】
したがって、図６に示されるように、画素形成部Ｐ（ｎ，ｍ）の画素電極電位は、走査信号Ｇ（ｎ）がアクティブ状態から非アクティブ状態となった時点において４Ｖに保持されるが、その後の補助容量線駆動信号Ｃｓ（ｎ）の上記電位変化によりさらに２Ｖ上昇して６Ｖとなっている。したがって、共通電位Ｖｃｏｍが２Ｖであることから、この時点での液晶層への印加電圧は４Ｖとなる。なお、ここでは走査信号線の寄生容量による電位変化については無視している。
【０００９】
以上の動作は、極性が反転される次行の画素形成部Ｐ（ｎ＋１，ｍ）の画素電極電位および次フレームの画素形成部Ｐ（ｎ，ｍ）においても同様である。このように、共通電位Ｖｃｏｍを固定しつつ補助容量線を駆動する液晶表示装置は、例えば特開２００１−８３９４３号公報や特開２００４−２０５６７０号公報などに開示されている。以下、このような従来例を第１の従来例という。
【００１０】
また、共通電極Ｅｃｏｍを１走査期間毎に駆動することにより、共通電位Ｖｃｏｍを映像信号Ｓ（ｍ）とは逆極性の電位（例えば０Ｖまたは４Ｖ）となるように変化させる従来の液晶表示装置もある。この従来の構成によれば液晶への印加電圧を±４Ｖの範囲とすることができる。この従来の構成において、補助容量線を駆動することは必ずしも必要ではないが、共通電極と同位相で補助容量線を１走査期間毎に駆動する従来の液晶表示装置もある。この従来の構成によれば、補助容量線を適宜の電位で駆動することにより、フリッカや画像メモリ現象などを抑制することができる。このような従来の液晶表示装置は、例えば特開平２−９１３号公報などに開示されている。以下、このような従来例を第２の従来例という。
【特許文献１】特開２００１−８３９４３号公報
【特許文献２】特開２００４−２０５６７０号公報
【特許文献３】特開平２−９１３号公報
【発明の開示】
【発明が解決しようとする課題】
【００１１】
ここで、上記第１の従来例における液晶への印加電圧の絶対値は最大で４Ｖとなるが、ノーマリブラック型の液晶表示装置においてその液晶層の透過率を１００％にするためには通常５Ｖ程度の印加電圧が必要となるので、印加電圧の絶対値の最大値が不足することがある。ここで、上記最大値を増加させるために補助容量線駆動信号Ｃｓ（ｎ）の電位の最大値を大きくする（すなわち信号振幅を大きくする）構成も考えられるが、補助容量線駆動回路の製造コストが高くなるほか、液晶印加電圧の絶対値の最小値が液晶しきい電圧値（通常は１．５Ｖ程度）を大きく超えてしまう。したがって、黒表示の場合にも低い輝度で表示が行われるのでコントラストが低下し、表示装置の表示性能が低下してしまう。
【００１２】
また、第２の従来例において、共通電極および補助容量線を例えば０Ｖから５Ｖまでの範囲内で駆動すれば、液晶印加電圧の絶対値の最大値を５Ｖとすることができる。しかし、このように補助容量線を共通電極と同様に駆動すると、例えばいわゆるライン反転駆動方式が採用される場合、補助容量線を駆動するドライバ回路によって頻繁に極性反転を行わなければならず、補助容量線を駆動するドライバ回路に大きな負荷がかかり、消費電力が増大する。
【００１３】
そこで本発明は、補助容量線を駆動する液晶表示装置において、共通電極の極性を反転する駆動を行いながら、補助容量線を駆動するドライバ回路に大きな負荷がかからず、消費電力を小さく抑えることができる液晶表示装置を提供することを目的とする。
【課題を解決するための手段】
【００１４】
第１の発明は、アクティブマトリクス型の液晶表示装置であって、
表示すべき画像を表す信号を伝達するための複数の映像信号線、前記複数の映像信号線と交差する複数の走査信号線、前記複数の走査信号線に沿って対応するよう配される複数の補助容量線、前記複数の画素形成部に共通的な電位を与える共通電極、および前記複数の映像信号線と前記複数の走査信号線との交差点にそれぞれ対応してマトリクス状に配置された複数の画素形成部を含み、前記複数の画素形成部のそれぞれは、前記複数の映像信号線のうち対応する映像信号線に繋がる電極であって、対応する補助容量線との間に所定の補助容量が形成され、前記共通電極との間に液晶が介在する画素電極を含む表示部と、
前記複数の映像信号線を駆動する映像信号線駆動回路と、
前記複数の走査信号線を駆動する走査信号線駆動回路と、
前記複数の補助容量線を駆動する補助容量線駆動回路と、
前記走査信号線駆動回路により前記複数の走査信号線のうち１つが選択的に駆動される毎に、または１つ以上が駆動される間を空けて、前記共通電極を基準とする前記画素電極の極性が反転されるように、所定の第１の電位および当該第１の電位よりも大きい第２の電位を交互に前記共通電極に印加することにより、前記共通電極を駆動する共通電極駆動回路とを備え、
前記共通電極駆動回路は、前記走査信号線駆動回路によって対応する走査信号線が選択される時点近傍の第１の期間を除く第２の期間中、前記共通電極と同一の電位変化により前記複数の補助容量線を駆動し、
前記補助容量線駆動回路は、前記対応する走査信号線が選択される時点直後の所定の時点において、当該時点または当該時点直後での前記共通電極の電位変化と同一方向に変化するよう所定の第３の電位および当該第３の電位よりも大きい第４の電位のうちいずれかを印加するように、前記第１の期間中、前記走査信号線駆動回路によって選択される走査信号線に対応する補助容量線を駆動することを特徴とする。
【００１５】
第２の発明は、第１の発明において、
前記第１の期間は、対応する走査信号線が前記走査信号線駆動回路によって選択され選択状態から非選択状態に遷移した第１の時点より前であってかつ前記第１の時点直前において前記共通電極の電位が変化する第２の時点より後の時点を始点とし、前記第１の時点より後であってかつ次に前記共通電極の電位が変化する第３の時点より前の時点を終点とする期間であることを特徴とする。
【００１６】
第３の発明は、第１の発明において、
前記補助容量線駆動回路は、
前記第３または第４の電位のいずれかを出力する電位供給回路と、
前記第１の期間中、前記走査信号線駆動回路によって選択される走査信号線に対応する補助容量線に対して前記電位供給回路を接続し、前記第２の期間中、前記対応する補助容量線に対して前記電位供給回路を切り離すスイッチ回路と
を含むことを特徴とする。
【００１７】
第４の発明は、第３の発明において、
前記スイッチ回路は、前記第１の期間中、前記走査信号線駆動回路によって選択される走査信号線に対応する補助容量線に対し、前記電位供給回路を接続するとともに前記共通電極駆動回路を切り離し、前記第２の期間中、前記対応する補助容量線に対し、前記電位供給回路を切り離すとともに所定のカップリング容量を介して前記共通電極駆動回路を接続することを特徴とする。
【００１８】
第５の発明は、第３の発明において、
前記共通電極駆動回路は、所定のカップリング容量を介して前記複数の補助容量線にそれぞれ接続されることを特徴とする。
【００１９】
第６の発明は、表示すべき画像を表す信号を伝達するための複数の映像信号線、前記複数の映像信号線と交差する複数の走査信号線、前記複数の走査信号線に沿って対応するよう配される複数の補助容量線、前記複数の画素形成部に共通的な電位を与える共通電極、および前記複数の映像信号線と前記複数の走査信号線との交差点にそれぞれ対応してマトリクス状に配置された複数の画素形成部を含み、前記複数の画素形成部のそれぞれは、前記複数の映像信号線のうち対応する映像信号線に繋がる電極であって、対応する補助容量線との間に所定の補助容量が形成され、前記共通電極との間に液晶が介在する画素電極を含む表示部を備えるアクティブマトリクス型の液晶表示装置の駆動方法であって、
前記複数の映像信号線を駆動する映像信号線駆動ステップと、
前記複数の走査信号線を駆動する走査信号線駆動ステップと、
前記複数の補助容量線を駆動する補助容量線駆動ステップと、
前記走査信号線駆動ステップにおいて前記複数の走査信号線のうち１つが選択的に駆動される毎に、または１つ以上が駆動される間を空けて、前記共通電極を基準とする前記画素電極の極性が反転されるように、所定の第１の電位および当該第１の電位よりも大きい第２の電位を交互に前記共通電極に印加することにより、前記共通電極を駆動する共通電極駆動ステップとを備え、
前記共通電極駆動ステップでは、対応する走査信号線が前記走査信号線駆動ステップによって選択される時点の直前から直後までの第１の期間を除く第２の期間中、前記共通電極と同一の電位変化により前記複数の補助容量線を駆動し、
前記補助容量線駆動ステップでは、前記選択される時点直後の所定の時点において、当該時点または当該時点直後での前記共通電極の電位変化と同一方向に変化するよう所定の第３の電位および当該第３の電位よりも大きい第４の電位のうちいずれかを印加するように、前記第１の期間中、前記走査信号線駆動ステップによって選択される走査信号線に対応する補助容量線を駆動することを特徴とする。
【発明の効果】
【００２０】
上記第１の発明によれば、走査信号線駆動回路によって対応する走査信号線が選択される時点近傍の第１の期間中のみ、補助容量線駆動回路により補助容量線が駆動され、それ以外の第２の期間では、共通電極駆動回路により補助容量線が駆動されるので、従来の液晶表示装置よりも液晶印加電圧を大きくすることができる利点を有しつつ、さらに補助容量線駆動回路に大きな負荷がかからず、消費電力を小さく抑えることができる。
【００２１】
また、補助容量線を交流駆動することにより、これを交流駆動しない従来の構成に比べて、共通電極の電位変化量（振幅）をより小さく抑えることができるので、共通電極の振幅に基づく振動により生じるいわゆる音鳴り現象を上記従来の構成よりも低減することができる。
【００２２】
上記第２の発明によれば、補助容量線駆動回路により補助容量線を駆動する第１の期間を対応する走査信号線が選択され選択状態から非選択状態に遷移した第１の時点より前を始点とすることにより、補助容量線の電位変化によって表示に影響が及ぶことを防止し、また次の共通電極の電位が変化する第３の時点よりも前を終点とすることにより、共通電極駆動回路により共通電極の電位と上記補助容量線の電位とをともに変化させて液晶印加電圧を大きくすることができる。
【００２３】
上記第３の発明によれば、第１の期間中、対応する補助容量線に対して電位供給回路が接続され、第２の期間中、対応する補助容量線に対して電位供給回路が切り離されるので、対応する補助容量線に対して補助容量線駆動回路は適宜の期間に適宜の電圧を印加することができる。
【００２４】
上記第４の発明によれば、第１の期間中、対応する補助容量線に対してさらに共通電極駆動回路が切り離され、第２の期間中、対応する補助容量線に対して共通電極駆動回路がをさらに接続されるので、対応する補助容量線に対して共通電極駆動回路は適宜の期間に所定の電圧を印加することができる。
【００２５】
上記第５の発明によれば、所定のカップリング容量を介することにより、補助容量線の電位を共通電極の電位に直ちに一致させることなく、共通電極駆動回路による電位変化に応じた量だけ補助容量線の電位を変化させることができる。
【００２６】
上記第６の発明によれば、上記第１の発明と同様の効果を液晶表示装置の駆動方法において奏することができる。
【発明を実施するための最良の形態】
【００２７】
＜１．  第１の実施形態＞
＜１．１  液晶表示装置の全体構成および動作＞
図１は、本発明の第１の実施形態に係るアクティブマトリクス型液晶表示装置の全体構成を示すブロック図である。この液晶表示装置は、表示制御回路２００、ソースドライバ（映像信号線駆動回路）３００、ゲートドライバ（走査信号線駆動回路）４００、補助容量線駆動回路５００、および共通電極駆動回路６００からなる駆動制御部と、表示部７００とを備えている。
【００２８】
表示部７００は、複数本（Ｍ本）の映像信号線ＳＬ（１）〜ＳＬ（Ｍ）と、複数本（Ｎ本）の走査信号線ＧＬ（１）〜ＧＬ（Ｎ）および補助容量線ＣｓＬ（１）〜ＣｓＬ（Ｎ）と、それら複数本の映像信号線ＳＬ（１）〜ＳＬ（Ｍ）と複数本の走査信号線ＧＬ（１）〜ＧＬ（Ｎ）とに沿って設けられた複数個（Ｍ×Ｎ個）の画素形成部を含んでいる。なお以下では、走査信号線ＧＬ（ｎ）と映像信号線ＳＬ（ｍ）との交差点に関連づけて当該交差点近傍（図では当該交差点の右下近傍）に設けられた画素形成部を参照符号“Ｐ（ｎ，ｍ）”で示すものとする。図２は、本実施形態の表示部７００における画素形成部Ｐ（ｎ，ｍ）の等価回路および補助容量線駆動回路５００の構成を示している。
【００２９】
この図２に示すように、各画素形成部Ｐ（ｎ，ｍ）は、走査信号線ＧＬ（ｎ）またはその隣の走査信号線ＧＬ（ｎ＋１）にゲート端子が接続されるとともに当該交差点を通過する映像信号線ＳＬ（ｍ）またはその隣の映像信号線ＳＬ（ｍ＋１）にソース端子が接続されたスイッチング素子であるＴＦＴ１０と、そのＴＦＴ１０のドレイン端子に接続された画素電極Ｅｐｉｘと、上記複数個の画素形成部Ｐ（ｉ，ｊ）（ｉ＝１〜Ｎ、ｊ＝１〜Ｍ）に共通的に設けられた共通電極Ｅｃｏｍと、上記複数個の画素形成部Ｐ（ｉ，ｊ）（ｉ＝１〜Ｎ、ｊ＝１〜Ｍ）に共通的に設けられ画素電極Ｅｐｉｘと共通電極Ｅｃｏｍとの間に挟持された電気光学素子としての液晶層とによって構成される。
【００３０】
なお、各画素形成部Ｐ（ｎ，ｍ）は、赤色（Ｒ）、緑色（Ｇ）、青色（Ｂ）のいずれかの色を表示するものであって、図２に示すように、同じ色を表示する画素形成部Ｐ（ｎ，ｍ）が映像信号線ＳＬ（１）〜ＳＬ（Ｍ）に沿って配置されており、かつ走査信号線ＧＬ（１）〜ＧＬ（Ｎ）に沿った方向にＲＧＢの順で配置されている。
【００３１】
各画素形成部Ｐ（ｎ，ｍ）では、画素電極Ｅｐｉｘと、それに液晶層を挟んで対向する共通電極Ｅｃｏｍとによって液晶容量（「画素容量」ともいう）Ｃｌｃが形成されている。各画素電極Ｅｐｉｘには、それを挟むように２本の映像信号線ＳＬ（ｍ），ＳＬ（ｍ＋１）が配設されており、映像信号線ＳＬ（ｍ）がＴＦＴ１０を介して当該画素電極Ｅｐｉｘに接続されている。
【００３２】
また、各走査信号線ＧＬ（ｎ）と平行に補助容量線ＣｓＬ（ｎ）が形成されており、各画素形成部Ｐ（ｎ，ｍ）では、画素電極Ｅｐｉｘと補助容量線ＣｓＬ（ｎ）との間に補助容量Ｃｃｓが形成されている。なお、この補助容量線ＣｓＬ（ｎ）に与えられる電位については詳しく後述する。
【００３３】
表示制御回路２００は、外部から送られる表示データ信号ＤＡＴとタイミング制御信号ＴＳとを受け取り、デジタル画像信号ＤＶと、表示部７００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、ゲートクロック信号ＧＣＫ、補助容量線制御信号Ｓｃｓ、および共通電極制御信号Ｓｅｃを出力する。
【００３４】
ソースドライバ３００は、表示制御回路２００から出力されたデジタル画像信号ＤＶ、ソーススタートパルス信号ＳＳＰ、ソースクロック信号ＳＣＫ、およびラッチストローブ信号ＬＳを受け取り、表示部７００内の各画素形成部Ｐ（ｎ，ｍ）の液晶容量Ｃｌｃを充電するために駆動用映像信号Ｓ（１）〜Ｓ（Ｍ）を各映像信号線ＳＬ（１）〜ＳＬ（Ｍ）に印加する。このとき、ソースドライバ３００では、ソースクロック信号ＳＣＫのパルスが発生するタイミングで、各映像信号線ＳＬ（１）〜ＳＬ（Ｍ）に印加すべき電圧を示すデジタル画像信号ＤＶが順次に保持される。そして、ラッチストローブ信号ＬＳのパルスが発生するタイミングで、上記保持されたデジタル画像信号ＤＶがアナログ電圧に変換される。
【００３５】
なお、このようなＤ／Ａ変換は、ソースドライバ３００に含まれるＤ／Ａ変換回路（および階調電圧生成回路）により行われる。このＤ／Ａ変換回路は、例えばソースドライバ３００の外部から与えられる階調電圧生成のための基準電圧を分圧することにより、各表示階調に対応するアナログ電圧を生成する。このＤ／Ａ変換回路により生成されたアナログ電圧は、駆動用映像信号として全ての映像信号線ＳＬ（１）〜ＳＬ（Ｍ）に一斉に印加される。すなわち、本実施形態においては、映像信号線ＳＬ（１）〜ＳＬ（Ｍ）の駆動方式には線順次駆動方式が採用される。
【００３６】
ゲートドライバ４００は、表示制御回路２００から出力されたゲートスタートパルス信号ＧＳＰとゲートクロック信号ＧＣＫとに基づいて、各走査信号線ＧＬ（１）〜ＧＬ（Ｎ）にアクティブな走査信号Ｇ（１）〜Ｇ（Ｎ）を順次印加する。
【００３７】
補助容量線駆動回路５００は、各補助容量線ＣｓＬ（１）〜ＣｓＬ（Ｎ）に１つずつ設けられるＮ個のスイッチ回路および電位供給回路が設けられており、図２には補助容量線ＣｓＬ（ｎ）に接続されるスイッチ回路５０２ｎおよび電位供給回路５０１ｎが示されている。なお、このスイッチ回路５０２ｎは補助容量線駆動回路５００の外部に設けられていてもよい。
【００３８】
この電位供給回路５０１ｎは、表示制御回路２００から出力された補助容量線制御信号Ｓｃｓに基づいて、図示されない電源回路から与えられる電位に基づき２段階に電位が変化する駆動信号Ｄｃｓ（ｎ）を出力する。また、スイッチ回路５０２ｎは、上記補助容量線制御信号Ｓｃｓに基づいて、補助容量線ＣｓＬ（ｎ）を電位供給回路５０１ｎに接続するかまたはカップリング容量Ｃｃｐを介して共通電極Ｅｃｏｍに接続するかを後述する所定のタイミングで切り替える。
【００３９】
なお、この補助容量線制御信号Ｓｃｓは、例えばゲートスタートパルス信号ＧＳＰおよびゲートクロック信号ＧＣＫに相当するスタートパルス信号およびクロック信号と、上記電位選択および接続切り替えのタイミング等を示す信号とを含んでいる。
【００４０】
共通電極駆動回路６００は、表示制御回路２００から出力された共通電極制御信号Ｓｅｃに基づいて、映像信号Ｓ（ｍ）の変化に応じて液晶に印加されるべき電圧の極性が反転されるように図示されない電源回路から与えられる電位に基づき２段階に変化する電位を共通電極に印加する。なお、この共通電極制御信号Ｓｅｃは、例えばゲートクロック信号ＧＣＫに相当するクロック信号と、極性反転（または上記電位選択）のタイミングを示す信号とを含んでいる。
【００４１】
ここで図２に示される接続関係からわかるように、これら補助容量線ＣｓＬ（１）〜ＣｓＬ（Ｎ）に印加される電圧が変化すると、画素電極Ｅｐｉｘの電位は、共通電極Ｅｃｏｍを基準とするとき、補助容量線ＣｓＬ（ｎ）の電位変化に対して液晶容量値と補助容量値との和に対する補助容量の割合に応じて変化する。このことにより共通電位Ｖｃｏｍと各画素形成部における画素電極との電位差を（白表示の場合には）大きくする（言い換えれば画素電極の電圧をかさ上げする）ことができる。この信号の波形等については後述する。
【００４２】
以上のようにして、各映像信号線ＳＬ（１）〜ＳＬ（Ｍ）に駆動用映像信号が印加され、各走査信号線ＧＬ（１）〜ＧＬ（Ｎ）に走査信号が印加され、各補助容量線ＣｓＬ（１）〜ＣｓＬ（Ｎ）に補助容量線駆動信号が印加されることにより、表示部７００に画像が表示される。次に、図３および図４を参照して各種信号等の電位変化について説明する。
【００４３】
＜１．２  各種信号等の波形＞
図３は、本液晶表示装置における各種信号等の簡易な波形図である。また、図４は、所定の期間における各種信号の電位変化を詳細に示す波形図である。なお、図３における映像信号Ｓ（ｍ）は白表示を行う場合の例であり、また各種信号の変化タイミングや電圧値は説明を簡易にするため単純化されている。例えば走査信号線と画素電極との間の寄生容量Ｃｇｄに応じて走査信号線の電位変化により画素電極の電位が変化する点などは図３においては記載が省略されている。
【００４４】
図３および図４に示されるように、映像信号線ＳＬ（ｍ）に印加される電圧信号である映像信号Ｓ（ｍ）は、０Ｖから４Ｖまでの画素の輝度に応じた所定の電圧値、すなわち正極性の場合には黒表示（最低輝度）に対応する電圧値を０Ｖとし白表示（最高輝度）に対応する電圧値を４Ｖとして、また負極性の場合には黒表示（最低輝度）に対応する電圧値を４Ｖとし白表示（最高輝度）に対応する電圧値を０Ｖとして、４Ｖの範囲の電圧値を有している。なお映像信号Ｓ（ｍ）における最も低い電圧を０Ｖとすることにより、全体として消費電力を抑えることができる
【００４５】
また前述したように、液晶層は経時劣化を防止するために交流駆動を行う必要から、共通電極Ｅｃｏｍの電位である共通電位Ｖｃｏｍは、映像信号Ｓ（ｍ）の変化に応じて液晶印加電圧の極性が反転されるように正極性の場合には０Ｖとなり負極性の場合には４Ｖとなるよう変化する。したがって例えば、常に白表示を行う場合の映像信号Ｓ（ｍ）の変化に対して共通電位Ｖｃｏｍは同じ振幅で逆位相となるよう変化する。
【００４６】
ここで前述したように、画素電極Ｅｐｉｘの電位は、共通電極Ｅｃｏｍを基準とするとき、補助容量線ＣｓＬ（ｎ）の電位変化に対して液晶容量値と補助容量値との和に対する補助容量の割合に応じて変化する。したがって、仮に共通電位Ｖｃｏｍが変化せずに、補助容量線に与えられる信号（以下この信号を「補助容量線駆動信号」という）Ｃｓ（ｎ）の電位のみが４Ｖだけ変化すると、液晶容量値Ｃｌｃ：補助容量値Ｃｃｓ＝１：３すなわちＣｃｓ／（Ｃｃｓ＋Ｃｌｃ）＝０．７５であるものとすると、画素電極Ｅｐｉｘの電位は３Ｖだけ変化する。また、逆に補助容量線駆動信号Ｃｓ（ｎ）の電位が変化せず、共通電位Ｖｃｏｍのみが４Ｖだけ変化すると仮定すると、Ｃｌｃ／（Ｃｃｓ＋Ｃｌｃ）＝０．２５であるので、画素電極Ｅｐｉｘの電位は１Ｖだけ変化する。もちろん、補助容量線駆動信号Ｃｓ（ｎ）および共通電位Ｖｃｏｍの電位がともに４Ｖだけ変化する場合、画素電極Ｅｐｉｘの電位も同じく４Ｖだけ変化する。すなわち液晶印加電圧はそのまま保持される。なお、上記液晶容量値Ｃｌｃと補助容量値Ｃｃｓとの比率は説明を簡単にするための一例にすぎず、実際には周知の構成によって適宜な値に設定することができる。例えば液晶容量値Ｃｌｃ：補助容量値Ｃｃｓ＝１：１の場合であっても、後述する例を参照すれば液晶印加電圧は６Ｖまで上げることができることがわかる。
【００４７】
なお、この補助容量線駆動信号Ｃｓ（ｎ）として補助容量線ＣｓＬ（ｎ）に印加されるべき駆動信号Ｄｃｓ（ｎ）は、走査信号Ｇ（ｎ）の立ち下がりと同一（厳密には短い時間の経過後）のタイミングで、共通電位Ｖｃｏｍの電位変化と同一の方向に立ち下がりまたは立ち上がるよう補助容量線制御信号Ｓｃｓに基づいて、補助容量線駆動回路５００の電位供給回路５０１ｎにより生成される。具体的には、図３に示されるように、駆動信号Ｄｃｓ（ｎ）は、走査信号Ｇ（ｎ）の立ち下がりと同一のタイミングで立ち下がったのち、次のフレームにおける走査信号Ｇ（ｎ）の立ち下がりタイミングで立ち上がる。厳密に言えば、この駆動信号Ｄｃｓ（ｎ）は、ＴＦＴ１０が完全にオフ状態となった時点、すなわち走査信号Ｇ（ｎ）の立ち下がりよりわずかに遅いタイミングで立ち下がったのち、次のフレームにおける走査信号Ｇ（ｎ）の立ち下がりよりわずかに遅いタイミングで立ち上がる。またこのように遅いタイミングとなることは共通電位Ｖｃｏｍにおける電位変化についても同様である。詳しくは図４を参照して後述する。
【００４８】
また図３に示されるように、画素形成部Ｐ（ｎ，ｍ）の画素電極電位は、走査信号Ｇ（ｎ）が（ＴＦＴ１０をオンさせる）アクティブ状態から非アクティブ状態となる時点まで４Ｖに保持される。その後、画素形成部Ｐ（ｎ，ｍ）の画素電極電位は、共通電位Ｖｃｏｍが固定されたまま補助容量線駆動信号Ｃｓ（ｎ）の電位が４Ｖ上昇することにより３Ｖ上昇し、さらにその後、補助容量線駆動信号Ｃｓ（ｎ）の電位および共通電位Ｖｃｏｍがともに４Ｖ上昇することにより、さらに４Ｖ上昇した結果、最終的に１１Ｖとなっている。なおこのような電位変化については図４を参照して後述する。
【００４９】
したがって、上記最終的な時点での共通電位Ｖｃｏｍが４Ｖであることから、液晶層への印加電圧は７Ｖのまま保持される。その後、この液晶印加電圧が次のフレームにおける表示時点まで保持されることにより、上記印加電圧に応じた輝度で画素表示が行われる。すなわち、補助容量線が存在しない従来の液晶表示装置であればもちろん、補助容量線が存在する場合であってもその電位を共通電位と同時に同じだけ変動させる場合（例えば前述した第２の従来例の装置）、液晶印加電圧が印加時点から変動することなくそのまま保持されることになる。
【００５０】
ここで、補助容量線を共通電位と同時に同じだけ変動させるよう、補助容量線を電位供給回路のみで駆動する従来の構成では、電位供給回路およびその電源に大きな負荷がかかるため消費電力が大きくなる。すなわち、Ｎ個の電位供給回路はそれぞれ共通電位と同じ電位変化量で補助容量線を駆動しなければならないので、駆動すべき補助容量線が存在しない従来の液晶表示装置の場合よりも消費電力が大きくなる。
【００５１】
そこで、本液晶表示装置では、スイッチ回路により後述する所定のタイミングで補助容量線を電位供給回路から切り離し、カップリング容量Ｃｃｐを介して共通電極駆動回路６００に接続する。そうすれば、接続された補助容量線を共通電極駆動回路６００により駆動することができるので、補助容量線が存在しない従来の液晶表示装置の場合と同様に、消費電力を小さく抑えることができる。なお、共通電極駆動回路６００は、補助容量を含む液晶容量を駆動するのに十分な性能を備えるよう設計されているので、このように駆動しても大きな負荷がかかることはない。次に、図４を参照して上記タイミングを含む各信号の変化について説明する。
【００５２】
図４に示す時刻ｔ１において、或る１つの水平走査期間が開始される。この時、共通電位Ｖｃｏｍおよび補助容量線駆動信号Ｃｓ（ｎ）は共に立ち下がるよう変化する。すなわち、スイッチ回路５０２ｎによりカップリング容量Ｃｃｐを介して補助容量線ＣｓＬ（ｎ）と共通電極駆動回路６００とが接続されているので、これらの信号は同時に同じだけ変化することになる。なお、図中では、共通電位Ｖｃｏｍは一点鎖線で、補助容量線駆動信号Ｃｓ（ｎ）は点線でそれぞれ示されているが、後述するように時刻ｔ３から時刻ｔ５までの間これらは同電位となるので、この期間中補助容量線駆動信号Ｃｓ（ｎ）もまた一点鎖線で示されている。
【００５３】
次に、時刻ｔ２において、スイッチ回路５０２ｎは、補助容量線ＣｓＬ（ｎ）を共通電極駆動回路６００から切り離し、電位供給回路５０１ｎに接続するよう切り替える。このときの電位供給回路５０１ｎから出力される駆動信号Ｄｃｓ（ｎ）の電位は、同時点での共通電位Ｖｃｏｍと一致するよう設定されているものとする。したがって、この時刻ｔ２において、上記切り替えがなされることによって補助容量線駆動信号Ｃｓ（ｎ）の電位が変化し、この電位変化に対して画素電極Ｅｐｉｘの電位は、液晶容量値と補助容量値との和に対する補助容量の割合に応じて変化する。
【００５４】
続いて、時刻ｔ３において、走査信号Ｇ（ｎ）がアクティブとなることにより、走査信号線ＧＬ（ｎ）に繋がる画素形成部、ここでは一例として図３に示す画素形成部Ｐ（ｎ，ｍ）に備えられるＴＦＴ１０がオンされ、そのことにより画素電極Ｅｐｉｘの電位が映像信号線Ｓ（ｎ）の電位に一致するまで画素電極Ｅｐｉｘが充電される。したがって、時刻ｔ２において画素電極Ｅｐｉｘの電位が変化しても当該画素形成部における表示に影響が出ることはない。
【００５５】
その後、時刻ｔ４において、走査信号Ｇ（ｎ）が非アクティブとなることにより、画素電極Ｅｐｉｘの電位が共通電位Ｖｃｏｍに対して保持されることになるが、厳密には走査信号Ｇ（ｎ）の立ち下がりにより画素電極Ｅｐｉｘの電位も少し低下することになる。これは、対応する走査信号線と画素電極との間の寄生容量Ｃｇｄに応じて走査信号線の電位変化により画素電極の電位が変化するからである。
【００５６】
もっともその後の時刻ｔ５において、電位供給回路５０１ｎは、駆動信号Ｄｃｓ（ｎ）の電位を次の水平走査期間における共通電位Ｖｃｏｍの電位と同じ電位（図３では４Ｖ）に変化させる。ここで時刻ｔ２においてスイッチ回路５０２ｎにより補助容量線ＣｓＬ（ｎ）は電位供給回路５０１ｎに接続されており、補助容量線駆動信号Ｃｓ（ｎ）の電位は、駆動信号Ｄｃｓ（ｎ）の電位と同電位となるので図４において点線で示されるように立ち上がる。この電位変化に応じて、画素電極Ｅｐｉｘの電位も立ち上がる。図３に示される例では、共通電位Ｖｃｏｍが一定のままで補助容量線駆動信号Ｃｓ（ｎ）が４Ｖだけ変化すると、画素電極電位Ｅｐｉｘは３Ｖだけ変化する。なお、前述したように実際には寄生容量Ｃｇｄの影響を受けることになるが、図３に示される例では説明の便宜のため省略されている。
【００５７】
続いて、時刻ｔ６において、スイッチ回路５０２ｎは、補助容量線ＣｓＬ（ｎ）を電位供給回路５０１ｎから切り離し、共通電極駆動回路６００に接続するよう切り替える。ここで直前に電位供給回路５０１ｎから出力されていた駆動信号Ｄｃｓ（ｎ）の電位は、同時点での共通電位Ｖｃｏｍと一致していないが、カップリング容量Ｃｃｐが補助容量Ｃｃｓに対して非常に小さいことにより電荷の移動がほとんど生じないので、補助容量線ＣｓＬ（ｎ）の電位はそのまま保持される。
【００５８】
次に、時刻ｔ７において、次の水平走査期間が開始され、共通電位Ｖｃｏｍが立ち上がる。このとき補助容量線ＣｓＬ（ｎ）は、スイッチ回路５０２ｎにより共通電極駆動回路６００に接続されているので、補助容量線ＣｓＬ（ｎ）の電位も共通電位Ｖｃｏｍと同様に立ち上がる。したがって、画素電極Ｅｐｉｘの電位もこれらの電位変化に応じて立ち上がることになる。図３に示される例では、補助容量線駆動信号Ｃｓ（ｎ）の電位も共通電位Ｖｃｏｍも共に４Ｖだけ変化するので、画素電極電位Ｅｐｉｘもまた４Ｖだけ変化して１１Ｖとなる。
【００５９】
その後、この補助容量線ＣｓＬ（ｎ）は、共通電極駆動回路６００によって駆動され、次のフレームにおける時刻ｔ２に相当する時点までは、スイッチ回路５０２ｎにより補助容量線ＣｓＬ（ｎ）が共通電極駆動回路６００から切り離されることがないので、共通電位Ｖｃｏｍと同一方向に同電位だけ変化することになる。
【００６０】
またこの次のフレームでは、共通電極Ｅｃｏｍを基準とした画素電極Ｅｐｉｘの電位が極性反転されるので、共通電位Ｖｃｏｍおよび補助容量線駆動信号Ｃｓ（ｎ）の電位も反転されるが、スイッチ回路５０２ｎの切り替えタイミングや各種信号の変化時点は同じであるので、その詳しい説明は省略する。
【００６１】
このように、補助容量線ＣｓＬ（ｎ）は、１フレーム期間中、対応する走査信号線ＧＬ（ｎ）が選択される時点直前の時刻ｔ２からその時点直後の時刻ｔ６までのわずかの間だけ電位供給回路５０１ｎにより駆動されるが、その他の期間は全てカップリング容量Ｃｃｐを介して共通電極駆動回路６００により駆動されることになる。
【００６２】
＜１．３  第１の実施形態の効果＞
以上のように、本実施形態では、補助容量線ＣｓＬ（１）〜ＣｓＬ（Ｎ）を駆動する場合、１フレーム期間中の対応する走査信号線ＧＬ（１）〜ＧＬ（Ｎ）が選択される期間を含むわずかの間だけ電位供給回路５０１ｎにより駆動し、その他の期間は全て共通電極駆動回路６００により駆動するので、補助容量線を駆動する従来の液晶表示装置よりも液晶印加電圧を大きくすることができる利点を有しつつ、さらに補助容量線駆動回路５００（の電位供給回路５０１ｎ）に大きな負荷がかからず、消費電力を小さく抑えることができる。
【００６３】
また、本実施形態では補助容量線ＣｓＬ（１）〜ＣｓＬ（Ｎ）を交流駆動するので、これを交流駆動しない従来の構成に比べて、共通電位Ｖｃｏｍの電位変化量（振幅）をより小さく抑えることができる。このことから、共通電極の振幅に基づく振動により生じるいわゆる音鳴り現象を上記従来の構成よりも低減することができる。
【００６４】
＜２．  第２の実施形態＞
＜２．１  装置の全体構成および動作＞
本発明の第１の実施形態に係るアクティブマトリクス型液晶表示装置は、補助容量線駆動回路５００の構成および動作が若干異なるほか、その全体構成および動作は図１に示される第１の実施形態に係る液晶表示装置と同様であるので、同一の構成要素には同一の符号を付してその説明を省略する。
【００６５】
図５は、本実施形態における画素形成部Ｐ（ｎ，ｍ）の等価回路および補助容量線駆動回路５００の構成を示している。この画素形成部の構成および動作については第１の実施形態と同様であるのでその説明を省略する。
【００６６】
本実施形態における補助容量線駆動回路５００には、図２に示す第１の実施形態とは異なる接続関係で、各補助容量線ＣｓＬ（１）〜ＣｓＬ（Ｎ）に１つずつ設けられるＮ個のスイッチ回路および電位供給回路が設けられており、図５には補助容量線ＣｓＬ（ｎ）に接続されるスイッチ回路５１２ｎおよび電位供給回路５１１ｎが示されている。なお、これらは補助容量線駆動回路５００の外部に設けられていてもよい。
【００６７】
この電位供給回路５１１ｎは、第１の実施形態における電位供給回路５０１ｎとは異なって、３段階に電位が変化する駆動信号Ｄｃｓ（ｎ）を出力する。なお、その電位も第１の実施形態の場合とは異なるが、詳しくは後述する。
【００６８】
また、スイッチ回路５１２ｎは、第１の実施形態におけるスイッチ回路５０２ｎとは異なり、上記補助容量線制御信号Ｓｃｓに基づいて、補助容量線ＣｓＬ（ｎ）を電位供給回路５１１ｎに接続するか（その接続を）開放するかを後述する所定のタイミングで切り替える。すなわち、第１の実施形態の場合とは異なり、共通電極Ｅｃｏｍはカップリング容量Ｃｃｐを介して補助容量線ＣｓＬ（ｎ）に恒常的に接続されている。
【００６９】
このように、本実施形態の液晶表示装置では、後述する所定のタイミングでカップリング容量Ｃｃｐを介して補助容量線を共通電極駆動回路６００により駆動するので、第２の実施形態の場合と同様、消費電力を小さく抑えることができる。また、第２の実施形態の場合と異なり、補助容量線の電位を３段階に変化するので、この電位を適宜に設定することにより、走査信号線と画素電極との間の寄生容量Ｃｇｄに応じて走査信号線の電位変化により生じる画素電極の電位変化を補償するなどの周知の補償を行うことができる。次に、図６を参照して上記タイミングを含む各信号の変化について説明する。
【００７０】
＜２．２  各種信号等の波形＞
図６は、第２の実施形態において、所定の期間での各種信号の電位変化を詳細に示す波形図である。なお、図中では、共通電位Ｖｃｏｍは一点鎖線で、補助容量線駆動信号Ｃｓ（ｎ）は点線で、走査信号Ｇ（ｎ）は一点鎖線で、画素形成部Ｐ（ｎ，ｍ）のＥｐｉｘ電位は実線でそれぞれ示されている。
【００７１】
この図６に示す時刻ｔ１においては、図４の場合と同様、共通電位Ｖｃｏｍおよび補助容量線駆動信号Ｃｓ（ｎ）は共に立ち下がるよう変化する。これはカップリング容量Ｃｃｐを介して補助容量線ＣｓＬ（ｎ）と共通電極駆動回路６００とが恒常的に接続されているので、これらの信号は同時に同じだけ変化することになるからである。
【００７２】
次に、時刻ｔ２において、スイッチ回路５１２ｎは、補助容量線ＣｓＬ（ｎ）と電位供給回路５１１ｎとを接続するよう切り替える。このときの電位供給回路５１１ｎから出力される駆動信号Ｄｃｓ（ｎ）の電位は、同時点での共通電位Ｖｃｏｍと一致する電位に設定されている。したがって、この時刻ｔ２において、上記切り替えがなされることにより、補助容量線駆動信号Ｃｓ（ｎ）の電位は、後述する共通電位Ｖｃｏｍから所定量だけ離れた電位から共通電位Ｖｃｏｍまで上昇することになるので、画素形成部Ｐ（ｎ，ｍ）のＥｐｉｘ電位もそれに応じて上昇することになる。なお、図中の電位変化は説明の便宜のため簡略化されており、実際の電位変化量とは異なっている。
【００７３】
続いて、時刻ｔ３において、走査信号Ｇ（ｎ）がアクティブとなることにより、画素電極Ｅｐｉｘの電位が映像信号線Ｓ（ｎ）の電位に一致するまで画素電極Ｅｐｉｘが充電され、その後、時刻ｔ４において、走査信号Ｇ（ｎ）が非アクティブとなることにより、画素電極Ｅｐｉｘの電位が少し低下した後、共通電位Ｖｃｏｍに対して保持される。なお、画素電極Ｅｐｉｘの電位の低下は、対応する走査信号線と画素電極との間の寄生容量Ｃｇｄによる。このことは前述したとおりである。
【００７４】
次に時刻ｔ５において、電位供給回路５１１ｎは、駆動信号Ｄｃｓ（ｎ）の電位を次の水平走査期間における共通電位Ｖｃｏｍの電位より少し高い所定の電位（図６では時刻ｔ６における電位）に変化させる。ここでこの電位は、寄生容量Ｃｇｄに応じた走査信号線電位の立ち下がりによる画素電極電位の低下を補償する量だけ共通電位Ｖｃｏｍより高い電位に設定されている。したがって、最終的な（時刻ｔ７より後の）画素電極Ｅｐｉｘの電位が走査信号線における電位変化の影響を受けないようにすることができる。
【００７５】
なお、この時刻ｔ５においても補助容量線ＣｓＬ（ｎ）と共通電極駆動回路６００とは接続されたままであるが、共通電極Ｅｃｏｍはカップリング容量Ｃｃｐを介して共通電極駆動回路６００に接続されているので補助容量線ＣｓＬ（ｎ）の電位変化により共通電位Ｖｃｏｍが変動することはない。
【００７６】
続いて、時刻ｔ６において、スイッチ回路５１２ｎは、補助容量線ＣｓＬ（ｎ）を電位供給回路５１１ｎから切り離すよう切り替える。ここで、補助容量線ＣｓＬ（ｎ）と共通電極Ｅｃｏｍとはカップリング容量Ｃｃｐにより接続されているので、共通電極駆動回路６００により共通電位Ｖｃｏｍを変化させない限り、補助容量線駆動信号Ｃｓ（ｎ）の電位は共通電位Ｖｃｏｍより少し高い電位のまま変化しない。なお、この後の電位供給回路５１１ｎは、引き続き同電位の駆動信号Ｄｃｓ（ｎ）を出力していてもよいし、信号出力を停止していてもよい。
【００７７】
次に、時刻ｔ７において、次の水平走査期間が開始され、共通電極駆動回路６００により共通電位Ｖｃｏｍおよび補助容量線ＣｓＬ（ｎ）の電位が共に立ち上がるよう駆動される。この電位変化に応じて、画素電極Ｅｐｉｘの電位も立ち上がる。その電位変化量については第１の実施形態の場合と同様であるので説明を省略する。
【００７８】
その後、この補助容量線ＣｓＬ（ｎ）は、共通電極駆動回路６００によって駆動され、次のフレームにおける時刻ｔ２に相当する時点までは、スイッチ回路５０２ｎにより異なる電位の駆動信号Ｄｃｓ（ｎ）を出力する電位供給回路５１１ｎと接続されることがないので、共通電位Ｖｃｏｍから所定量だけ離れた電位で、共通電位Ｖｃｏｍと同一方向に同量だけ変化することになる。
【００７９】
またこの次のフレームでは、共通電極Ｅｃｏｍを基準とした画素電極Ｅｐｉｘの電位が極性反転されるので、共通電位Ｖｃｏｍおよび補助容量線駆動信号Ｃｓ（ｎ）の電位も反転されるが、スイッチ回路５０２ｎの切り替えタイミングや各種信号の変化時点は同じであるので、その詳しい説明は省略する。
【００８０】
このように、補助容量線ＣｓＬ（ｎ）は、１フレーム期間中、対応する走査信号線ＧＬ（ｎ）が選択される時点直前の時刻ｔ２からその時点直後の時刻ｔ６までのわずかの間だけ電位供給回路５０１ｎにより駆動されるが、その他の期間は全てカップリング容量Ｃｃｐを介して共通電極駆動回路６００により共通電位Ｖｃｏｍから所定量だけ離れた電位のままで駆動されることになる。
【００８１】
＜２．３  第２の実施形態の効果＞
以上のように、本実施形態では、第１の実施形態の場合と同様、補助容量線ＣｓＬ（１）〜ＣｓＬ（Ｎ）を駆動する場合、１フレーム期間中の対応する走査信号線ＧＬ（１）〜ＧＬ（Ｎ）が選択される期間を含むわずかの間だけ電位供給回路５１１ｎにより駆動し、その他の期間は全て共通電極駆動回路６００により駆動するので、補助容量線駆動回路５００（の電位供給回路５１１ｎ）に大きな負荷がかからず、消費電力を小さく抑えることができる。また、第１の実施形態の場合と同様、いわゆる音鳴り現象を低減することができる。
【００８２】
さらに、第１の実施形態の場合とは異なり、時刻ｔ６の時点で補助容量線ＣｓＬ（１）〜ＣｓＬ（Ｎ）の電位を共通電位Ｖｃｏｍより少し高い電位に設定することにより、寄生容量Ｃｇｄに応じて走査信号線の電位変化により生じる画素電極の電位を補償するなどの周知の補償を行うことができる。
【００８３】
また例えば、これらの電位が３段階に変化する構成では、走査信号線と画素電極との寄生容量に応じた走査信号線の電位変化による画素電極電位の変化を補償するとともに、液晶印加電圧の極性による輝度のずれの補償などの周知の補償をすることができる。具体的には走査信号Ｇ（ｎ）におけるパルスの立ち下がり（の電位変化）により画素形成部Ｐ（ｎ，ｍ）における画素電極Ｅｐｉｘの電位変化量や、所望の輝度に対応する正極性および負極性でのそれぞれの印加電圧を考慮して、当該上記３段階の電位を適宜に設定すれば、走査信号線の電位変化や液晶印加電圧の極性による影響を解消することができる。
【００８４】
＜３.  各実施形態の変形例＞
上記第１および第２の実施形態において、補助容量線駆動信号Ｃｓ（ｎ）は、走査信号Ｇ（ｎ）の立ち下がりと同一の（正確にはその直後のわずかに遅れた）タイミングで、共通電位Ｖｃｏｍの電位変化と同一の方向に立ち下がりまたは立ち上がるが、このタイミングに限定されるわけではなく、走査信号Ｇ（ｎ）の立ち下がり時点またはその直後における共通電位Ｖｃｏｍの電位変化と同一の方向に変化するのであれば、走査信号Ｇ（ｎ）の立ち下がり後の所定期間経過後に立ち上がりまたは立ち下がってもよい。もっとも、液晶印加電圧の実効値が所望の値で一定に保たれる時間が長いほど表示が安定するので、走査信号Ｇ（ｎ）の立ち下がりと同一またはその直後から非常に短い時間が経過後のタイミングで補助容量線駆動信号Ｃｓ（ｎ）が立ち上がりまたは立ち下がるのが好ましい。
【００８５】
上記第１および第２の実施形態において、補助容量線ＣｓＬ（ｎ）は時刻ｔ２から時刻ｔ６までの間、補助容量線駆動回路５００の電位供給回路５０１ｎまたは電位供給回路５１１ｎによって駆動されるが、駆動される期間は上記時刻に限定されるわけではなく、補助容量線ＣｓＬ（ｎ）は、走査信号線ＧＬ（ｎ）が選択状態から非選択状態に遷移する時刻ｔ４近傍の期間中、駆動される構成であればよい。
【００８６】
さらに具体的には、補助容量線ＣｓＬ（ｎ）は、時刻ｔ４直前に共通電位Ｖｃｏｍが変化する時点である時刻ｔ１（より厳密に言えば、電位変化が完了した時点である時刻ｔ１の直後の時点）以降を始点とし、次に共通電位Ｖｃｏｍが変化した時点である時刻ｔ６の直後の時点（典型的には時刻ｔ７）を終点とする期間中、駆動される構成であればよい。
【００８７】
もっとも、上記第１および第２の実施形態では、補助容量線ＣｓＬ（ｎ）の電位と共通電位Ｖｃｏｍとが異なっていることから補助容量線駆動回路５００による駆動が開始される時点すなわちスイッチ回路５１２ｎが接続される時点（時刻ｔ２）で画素電極Ｅｐｉｘの電位に変動が生じてしまう。したがって、補助容量線ＣｓＬ（ｎ）を駆動する期間の始点は、走査信号線ＧＬ（ｎ）が選択状態から非選択状態に遷移する時刻ｔ４より前であることが求められる。
【００８８】
上記第２の実施形態では、寄生容量Ｃｇｄに応じて走査信号線の電位変化により生じる画素電極の電位変化を補償する構成であるが、これを補償することなく電位供給回路５１１ｎおよびスイッチ回路５１２ｎはそのままで第１の実施形態と同様に補助容量線ＣｓＬ（１）〜ＣｓＬ（Ｎ）の電位が２段階に変化する構成であってもよい。また逆に、第１の実施形態では、寄生容量Ｃｇｄに応じて走査信号線の電位変化により生じる画素電極の電位変化を補償しない構成であるが、これを補償するように電位供給回路５０１ｎおよびスイッチ回路５０２ｎはそのままで第２の実施形態と同様に補助容量線ＣｓＬ（１）〜ＣｓＬ（Ｎ）の電位が３段階に変化する構成であってもよい。
【００８９】
上記第２の実施形態では、補助容量線ＣｓＬ（１）〜ＣｓＬ（Ｎ）の電位が３段階に変化する構成であるが、４段階またはそれ以上に変化する周知の構成であってもよい。また、例えば以下の回路構成であれば２段階のみの変化であってもよい。すなわち、上記第２の実施形態において、共通電極駆動回路６００と補助容量線ＣｓＬ（ｎ）とを接続するためのスイッチ回路を新たに設け、電位供給回路５１１ｎが共通電位Ｖｃｏｍと一致する補助容量線駆動信号Ｃｓ（ｎ）を出力すべき時点において、電位供給回路５１１ｎはこの信号を出力することなく、上記スイッチ回路５１２ｎにより補助容量線ＣｓＬ（ｎ）と電位供給回路５１１ｎとが切り離され、同時に上記スイッチ回路により共通電極駆動回路６００と補助容量線ＣｓＬ（ｎ）とが接続される構成であってもよい。この構成では、補助容量線ＣｓＬ（１）〜ＣｓＬ（Ｎ）の電位を２段階に変化させるだけでよいので、補助容量線駆動回路５００に与えるべき電位およびその構成を簡単にすることができる。
【図面の簡単な説明】
【００９０】
【図１】本発明の第１の実施形態に係る液晶表示装置の全体構成を示すブロック図である。
【図２】上記実施形態における画素形成部の等価回路および補助容量線駆動回路の構成を示す回路図である。
【図３】上記実施形態における各種信号等の簡易な波形図である。
【図４】上記実施形態において所定の期間における各種信号の電位変化を詳細に示す波形図である。
【図５】本発明の第２の実施形態における画素形成部の等価回路および補助容量線駆動回路の構成を示す回路図である。
【図６】上記実施形態において所定の期間における各種信号の電位変化を詳細に示す波形図である。
【図７】従来の液晶表示装置における各種信号等の波形図である。
【符号の説明】
【００９１】
１０          …ＴＦＴ（スイッチング素子）
２００        …表示制御回路
３００        …ソースドライバ
４００        …ゲートドライバ
５００        …補助容量線駆動回路
５０１，５１１…電位供給回路
５０２，５１２…スイッチ回路
６００        …共通電極駆動部
７００        …表示部
Ｅｃｏｍ      …共通電極
Ｖｃｏｍ      …共通電位
Ｅｐｉｘ      …画素電極
ＧＬ（ｎ）    …走査信号線（ｎ＝１〜Ｎ）
Ｇ（ｎ）      …走査信号（ｎ＝１〜Ｎ）
ＣｓＬ（ｎ）  …補助容量線（ｎ＝１〜Ｎ）
Ｃｓ（ｎ）    …補助容量線駆動信号（ｎ＝１〜Ｎ）
ＳＬ（ｍ）    …映像信号線（ｍ＝１〜Ｍ）
Ｓ（ｍ）      …映像信号（ｍ＝１〜Ｍ）
Ｐ（ｎ，ｍ）  …画素形成部（ｎ＝１〜Ｎ、ｍ＝１〜Ｍ）
【図１】
2009069626.tif 000003
【図２】
2009069626.tif 000004
【図３】
2009069626.tif 000005
【図４】
2009069626.tif 000006
【図５】
2009069626.tif 000007
【図６】
2009069626.tif 000008
【図７】
2009069626.tif 000009